(57)【要約】【課題】確実性を持って媒体を突出位置と収納位置とに移動させることができる、着脱可能なキャップを使用しないキャップレス保持具を提供する。【解決手段】突出位置と収納位置との間を移動可能となったレフィール１６を保持する軸筒１２を備え、該軸筒１２は、突出位置にあるレフィールのペン先１６ａが突出される先端開口１２ａと、収納位置にあるレフィール１６のペン先１６ａを密封する収納部１２ｂとを備える。また、軸筒１２に対して相対回動可能に連結される回転筒１８と、レフィール１６に一体的に設けられた係合突起１６ｂと、回転筒１８に設けられて回転筒１８の回転により係合突起１６ｂを前後方向に誘導するカム溝１８ｂと、軸筒１２に設けられて係合突起１６ｂを回転方向に誘導するガイド溝１２ｄとを備え、該カム溝１８ｂ、ガイド溝１２ｄ及び係合突起１６ｂによる協働により、レフィール１６を突出位置から後退及び回転させた後、収納位置へと前進させ、及び、レフィール１６を収納位置から後退及び回転させた後、突出位置へと前進させる。【選択図】  図１
2004358747.tif 000002
【特許請求の範囲】
【請求項１】
突出位置と収納位置との間を移動可能となった媒体を保持する軸筒を備え、該軸筒は、突出位置にある媒体の先端が突出される先端開口と、収納位置にある媒体の先端を密封する収納部とを備える、キャップレス保持具であって、
該軸筒に対して相対回動可能に連結される回転体と、媒体に設けられた係合突起と、回転体に設けられて回転体の回転により係合突起を前後方向に誘導するカム溝と、軸筒に設けられて係合突起を回転方向に誘導するガイド溝とを備え、該カム溝、ガイド溝及び係合突起による協働により、前記媒体を突出位置から後退及び回転させた後、収納位置へと前進させ、及び、媒体を収納位置から後退及び回転させた後、突出位置へと前進させることを特徴とするキャップレス保持具。
【請求項２】
前記カム溝はＶ字形状をなし、軸心方向に対して互いに反対方向に傾斜する第１カム溝と第２カム溝とからなり、前記ガイド溝はコ字形状をなし、軸心方向に平行な第１ガイド溝と、周方向に伸びる第２ガイド溝と、軸心方向に平行な第３ガイド溝とからなり、係合突起は、第１カム溝及び第１ガイド溝に位置付けられたときに突出位置をとることができ、第２カム溝及び第２ガイド溝に位置付けられたときに収納位置をとることができることを特徴とする請求項１記載のキャップレス保持具。
【請求項３】
前記第１ガイド溝と第２ガイド溝との連結点は、Ｖ字形状のカム溝の頂部の手前で前記第１カム溝と交差し、第３ガイド溝と第２ガイド溝との連結点は、Ｖ字形状のカム溝の頂部の手前で前記第２カム溝と交差することを特徴とする請求項２記載のキャップレス保持具。
【請求項４】
前記第２ガイド溝は、軸心方向に傾斜した小さな第１傾斜部及び第２傾斜部と、第１傾斜部と第２傾斜部との間の横ガイド溝とを有し、横ガイド溝がＶ字形状のカム溝の頂部と交差することを特徴とする請求項２または３記載のキャップレス保持具。
【発明の詳細な説明】
【０００１】
【発明の属する技術分野】
本発明は、着脱可能なキャップを使用しないキャップレス保持具に関する。
【０００２】
【従来の技術】
従来、キャップを外す手間やキャップを紛失するおそれを排除し、着脱可能なキャップを使用しない筆記具として、突出位置と収納位置との間を移動可能となった筆記体を保持する軸筒を有し、該軸筒は、突出位置にある筆記体の先端が突出される先端開口と、収納位置にある筆記体の先端を密封する収納部とを備える構成となったキャップレス保持具が知られている（例えば、特許文献１参照。）。
【０００３】
この特許文献１に記載の構成は、軸筒に該軸筒を筆記体に対してノックするためのノック管を連結しており、筆記体側には一体的に突出カムが設けられ、軸筒側にカム溝が設けられている。突出カムとカム溝との協働により、突出カムがカム溝を移動して、筆記体が突出位置と収納位置との間を移動可能となっている。
【０００４】
【特許文献１】
特開昭５２−４９１２３号公報
【０００５】
【発明が解決しようとする課題】
しかしながら、上記従来のキャップレス保持具では、１つのカム溝によって突出カムの前後及び回転を誘導するようになっているが、確実に突出カムを移動させることは困難であるという問題がある。
【０００６】
本発明は、かかる課題に鑑みなされたもので、その目的は、確実性を持って媒体を突出位置と収納位置とに移動させることができるキャップレス保持具を提供することである。
【０００７】
【課題を解決するための手段】
上記目的を達成するために、本発明は、突出位置と収納位置との間を移動可能となった媒体を保持する軸筒を備え、該軸筒は、突出位置にある媒体の先端が突出される先端開口と、収納位置にある媒体の先端を密封する収納部とを備える、キャップレス保持具であって、
該軸筒に対して相対回動可能に連結される回転体と、媒体に設けられた係合突起と、回転体に設けられて回転体の回転により係合突起を前後方向に誘導するカム溝と、軸筒に設けられて係合突起を回転方向に誘導するガイド溝とを備え、該カム溝、ガイド溝及び係合突起による協働により、前記媒体を突出位置から後退及び回転させた後、収納位置へと前進させ、及び、媒体を収納位置から後退及び回転させた後、突出位置へと前進させることを特徴とする。
【０００８】
回転体に設けられて回転体の回転により係合突起を前後方向に誘導するカム溝と、軸筒に設けられて係合突起を回転方向に誘導するガイド溝とによって係合突起を誘導させるようにしたので、媒体を確実に、突出位置から後退及び回転させた後、収納位置へと前進させ、または逆に、収納位置から後退及び回転させた後、突出位置へと前進させることができる。
【０００９】
請求項２記載の発明は、請求項１記載のものにおいて、前記カム溝はＶ字形状をなし、軸心方向に対して互いに反対方向に傾斜する第１カム溝と第２カム溝とからなり、前記ガイド溝はコ字形状をなし、軸心方向に平行な第１ガイド溝と、周方向に伸びる第２ガイド溝と、軸心方向に平行な第３ガイド溝とからなり、係合突起は、第１カム溝及び第１ガイド溝に位置付けられたときに突出位置をとることができ、第２カム溝及び第２ガイド溝に位置付けられたときに収納位置をとることができることを特徴とする。
【００１０】
軸心方向に対して傾斜する第１カム溝と軸心方向に平行な第１ガイド溝によって、回転体と軸筒との間の相対回転により係合突起を軸心方向の前後方向に誘導することができ、よって媒体を突出位置に向かってまたは突出位置から前後方向に移動させることができる。また、周方向に伸びる第２ガイド溝によって係合突起を周方向に誘導することができ、よって媒体を回転させることができる。また、軸心方向に対して傾斜する第２カム溝と軸心方向に平行な第２ガイド溝によって、回転体と軸筒との間の相対回転により係合突起を軸心方向に前後方向に誘導することができ、よって媒体を収納位置に向かってまたは収納位置から前後方向に移動させることができる。
【００１１】
請求項３記載の発明は、請求項２記載のものにおいて、前記第１ガイド溝と第２ガイド溝との連結点が、Ｖ字形状のカム溝の頂部の手前で前記第１カム溝と交差し、第３ガイド溝と第２ガイド溝との連結点は、Ｖ字形状のカム溝の頂部の手前で前記第２カム溝と交差することを特徴とする。この構成により、第１ガイド溝及び第１カム溝によって軸心方向に移動する係合突起が、Ｖ字形状のカム溝の頂部に達して第１ガイド溝及び第２カム溝を通って軸心方向を逆戻りすることを防ぎ、Ｖ字状のカム溝の頂部へと達する前に係合突起が第２ガイド溝へと進入するようにすることができる。同様に、第３ガイド溝及び第２カム溝によって軸心方向に移動する係合突起が、Ｖ字形状のカム溝の頂部に達して第３ガイド溝及び第１カム溝を通って軸心方向を逆戻りすることを防ぎ、Ｖ字状のカム溝の頂部へと達する前に係合突起が第２ガイド溝へと進入するようにすることができる。これにより、媒体は軸心方向に後退した後、必ず回転することができる。
【００１２】
請求項４記載の発明は、請求項２または３記載のものにおいて、前記第２ガイド溝が、軸心方向に傾斜した小さな第１傾斜部及び第２傾斜部と、第１傾斜部と第２傾斜部との間の横ガイド溝とを有し、横ガイド溝がＶ字形状のカム溝の頂部と交差することを特徴とする。第２ガイド溝の第１傾斜部と第２傾斜部との間の横ガイド溝を係合突起が誘導されるときに、係合突起はＶ字形状のカム溝の頂部に位置付けられている。そして係合突起は、第１傾斜部または第２傾斜部を通過した後、Ｖ字形状のカム溝の第１カム溝または第２カム溝を移動することになるが、第１傾斜部または第２傾斜部を通過する際に、係合突起は、Ｖ字形状の頂部において次に移動するべきカム溝の方へと移動する。こうして、係合突起は確実に進むべきカム溝へと進入することができる。これにより媒体は回転した後、必ず前進することができる。
【００１３】
【発明の実施の形態】
以下、図面を用いて本発明の実施の形態を説明する。
【００１４】
図１は、本発明に係るキャップレス保持具の全体縦断面図であり、その後部部分は先端部分に対して軸心を中心として９０度回転した関係となっている。
【００１５】
このキャップレス保持具１０は、媒体であるレフィール（筆記体）１６を保持する軸筒１２を備えている。軸筒１２の先端には、レフィール１６のペン先１６ａを突出させるための先端開口１２ａが形成されており、さらに、軸筒１２の先端内部には、レフィール１６のペン先１６ａを密封する凹状の収納部１２ｂが形成されている。先端開口１２ａ及び収納部１２ｂは、図５に示したように、それぞれ軸心から偏心し、軸心を中心として所定角度、例えば１８０度離間した位置に配置される。
【００１６】
また、レフィール１６のペン先１６ａは、図８に示したように、前記先端開口１２ａ及び収納部１２ｂの位置に対応して、軸心から偏心した位置に配置される。
【００１７】
さらに、キャップレス保持具１０は、軸筒１２の後部に連結されて軸筒１２に対して相対回動可能且つ軸心方向に移動不能となった後筒１４と、後筒１４と一体回転し軸筒１２内に後部から挿入された回転体としての回転筒１８と、を備えている。即ち、図６に示すように後筒１４の内周面には、その前部に軸筒１２の環状凹部１２ｃ（図５参照）に相対回転可能に係合するための環状の係合用リブ１４ａが形成されており、また、その後部に回転固定用リブ１４ｂが形成され、さらに回転固定用リブ１４ｂの上には、小さな後退規制用リブ１４ｃが形成される。一方、図７に示すように回転筒１８の外周面には、前記回転固定用リブ１４ｂと噛み合う回転固定用リブ１８ａが形成されている。これにより、後筒１４と回転筒１８とは一体的に回転可能となると共に、回転筒１８の後退は後筒１４の後退規制用リブ１４ｃによって規制される一方で、回転筒１８の前進は軸筒１２によって規制される。こうして、回転筒１８は軸筒１２に対し相対回転可能に且つ軸心方向に移動不能に配置される。
【００１８】
後筒１４内にはスプリング２０が収容されており、該スプリング２０は、レフィール１６を前方に向けて付勢している。
【００１９】
図２に示すように、レフィール１６のペン先１６ａ以外の一般部の外周面には係合突起１６ｂが、軸筒１２の後部の周面にはガイド溝１２ｄが、回転筒１８の前部の周面にはカム溝１８ｂがそれぞれ形成されている。レフィール１６の係合突起１６ｂは、カム溝１８ｂ及びガイド溝１２ｄにはめ込まれており、これらの協働によってレフィール１６の突出位置と収納位置との間での移動が制御される。
【００２０】
回転筒１８のカム溝１８ｂは、係合突起１６ｂを主として前後方向に誘導するものであり、図７（ｃ）に示したように、前方方向を上向きとするＶ字形状をなしており、軸心方向に対して傾斜し長さが長い第１カム溝１８ｃと、軸心方向に対して第１カム溝１８ｃと反対に傾斜し長さの短い第２カム溝１８ｄとからなる。第１カム溝１８ｃの後端部と第２カム溝１８ｃの後端部とが連結されている。さらに、第１カム溝１８ｃ及び第２カム溝１８ｄのそれぞれの自由端部には、周方向に延びるストッパー部１８ｅ、１８ｆが形成されている。また、回転筒１８の前部の周面には、カム溝１８ｂが形成されている部位とは別の部位にスリット１８ｇ（図２参照）が形成されている。このスリット１８ｇは、係合突起１６ｂをカム溝１８ｂにはめ込れる組立作業時に回転筒１８を拡径させるためのものである。
【００２１】
軸筒１２のガイド溝１２ｄは、係合突起１６ｂを主として回転方向に誘導するものであり、図５（ｅ）に示したように、コ字形状をなしており、軸心方向に平行で長さが長い第１ガイド溝１２ｅと、軸心方向に対して直交して周方向に略平行となった第２ガイド溝１２ｆと、軸心方向に平行で長さが短い第３ガイド溝１２ｇとからなる。第１ガイド溝１２ｅは後部においてやや軸心方向に傾斜しているが、第１ガイド溝１２ｅの後端部と第２ガイド溝１２ｆの一端部が連結し、第３ガイド溝１２ｇの後端部と第２ガイド溝１２ｆの他端部が連結する。
【００２２】
第２ガイド溝１２ｆは、さらに、軸心方向に傾斜した小さな第１傾斜部１２ｆ１と第２傾斜部１２ｆ２とを有し、第１ガイド溝１２ｅの端部と第１傾斜部１２ｆ１との間の横ガイド溝１２ｆ３、第１傾斜部１２ｆ１と第２傾斜部１２ｆ２との間の横ガイド溝１２ｆ４、及び第２傾斜部１２ｆ２と第３ガイド溝１２ｇの端部との間の横ガイド溝１２ｆ５を有する。
【００２３】
軸筒１２の後部の周面には、さらに組立時にガイド溝１２ｄ内へと係合突起１６ｂをはめ入れるために、軸筒１２の後端から第２ガイド溝１２ｆへと連通する挿入口１２ｈが形成されている。
【００２４】
図３及び図４を用いて、以上のように構成されるキャップレス保持具１０の作用を説明する。まず、レフィール１６が突出位置にあるときには、係合突起１６ｂは、カム溝１８ｂの第１カム溝１８ｃの自由端部にあるストッパー部１８ｅに、且つガイド溝１２ｄの第１ガイド溝１２ｅの自由端部に位置付けられている。言い換えれば、回転筒１８と軸筒１２が、回転筒１８の第１カム溝１８ｃの自由端部にあるストッパー部１８ｅと軸筒１２の第１ガイド溝１２ｅの自由端部とが一致する位置関係を満足している。この状態でペン先１６ａを紙面等に押し当てて筆記を行ったときにペン先１６ａに筆圧が作用するが、係合突起１６ｂがストッパー部１８ｅによって後方への移動が阻止される。これにより、ペン先１６ａの使用を行うことができる。
【００２５】
この状態からレフィール１６の使用を終了してそのペン先１６ａを収納するには、後筒１４を軸筒１２に対して所定方向に回転する。この後筒１４の回転に従動して回転筒１８が軸筒１２に対して回転する。係合突起１６ｂは、第１ガイド溝１２ｅに位置付けられており、該第１ガイド溝１２ｅにより回転筒１８と一緒の回転が阻止されているために、ストッパー部１８ｅを脱出し、次いで、第１カム溝１８ｃ及び第１ガイド溝１２ｅに沿って軸心方向に後退する。よって、レフィール１６は軸筒１２に対して軸心方向を直線的に後退する。
【００２６】
係合突起１６ｂは、第１カム溝１８ｃ及び第１ガイド溝１２ｅを後退してカム溝１８ｂのＶ字状の頂部へと達する手前で、第２ガイド溝１２ｆの横ガイド溝１２ｆ３へと移動する。そして、横ガイド溝１２ｆ３によって周方向、即ち回転方向に誘導される。このとき、第１カム溝１８ｃの後端部（反自由端部）と第１ガイド溝１２ｅの後端部（反自由端部）とが一致し得ないようになっていることが重要である。これは言い換えると、カム溝１８ｂのＶ字形状の頂部と、第１ガイド溝１２ｅと第２ガイド溝１２ｆとの連結点とが一致し得ないようになっていることを意味する。仮に一致すると、第１カム溝１８ｃの後端部まで達した係合突起１６ｂが第２ガイド溝１２ｆへと移行せずに、第２カム溝１８ｄ及び第１ガイド溝１２ｅに沿って、再び、直線的に前進してしまうことがあり得るからである。従って、第１ガイド溝１２ｅから第２ガイド溝１２ｆへと係合突起１６ｂを確実に移動させるために、第１カム溝１８ｃの後端部（反自由端部）の手前で、つまりカム溝１８ｂのＶ字形状の頂部の手前で、第１ガイド溝１２ｅと第２ガイド溝１２ｆとの連結点が第１カム溝１８ｃに交差するようにする。
【００２７】
こうして、係合突起１６ｂが、周方向に略平行となった第２ガイド溝１２ｆの横ガイド溝１２ｆ３へと移動する。このときには、係合突起１６ｂは第２ガイド溝１２ｆによって周方向、即ち回転方向に誘導されて、軸筒１２に対して軸心を中心として回転する。係合突起１６ｂは、第２ガイド溝１２ｆの第１傾斜部１２ｆ１を通過し、横ガイド溝１２ｆ４を進む。この横ガイド溝１２ｆ４を進むときに、係合突起１６ｂはカム溝１８ｂのＶ字形状のほぼ頂部に位置している。即ち、横ガイド溝１２ｆ４とカム溝１８ｂのＶ字形状の頂部とが交差可能な位置関係となっている。そして、第２傾斜部１２ｆ２に達すると、係合突起１６ｂはカム溝１８ｂのＶ字形状のほぼ頂部において第２カム溝１８ｄの側へと移動して、第２カム溝１８ｄ内へと進入する。即ち、この第２傾斜部１２ｆ２があることによって、係合突起１６ｂがカム溝１８ｂのＶ字形状の頂部において、第１カム溝１８ｃの後端部側から第２カム溝１８ｄの後端部側の壁面に当接する切替が行われることが重要である。仮に、第２傾斜部１２ｆ２がなく、第２ガイド溝１２ｆを直接第３ガイド溝１２ｇに連結すると、係合突起１６ｂが、第１カム溝１８ｃの方へと移動しようとして、噛合いが発生して作動不能となる可能性があるからである。
【００２８】
こうして第２カム溝１８ｄへと移行した係合突起１６ｂは、横ガイド溝１２ｆ５によって周方向、即ち回転方向に誘導された後、第３ガイド溝１２ｇへと到達する。これにより、係合突起１６ｂ即ちレフィール１６は軸筒１２に対して回転できなくなり、第３ガイド溝１２ｇ及び第２カム溝１８ｄに沿って前進する。つまり、レフィール１６は軸筒１２に対して軸心方向を直線的に前進し、最後に、第２カム溝１８ｄの自由端部にあるストッパー溝１８ｆに移動する。この動きによって、レフィール１６のペン先１６ａは、軸筒１２の収納部１２ｂ内へと収まり、収納部１２ｂにより密封状態で封止され、レフィール１６は収納位置になる。
【００２９】
レフィール１６が収納位置にあるときには、スプリング２０によってペン先１６ａは収納部１２ｂ内に収納されるように付勢されているために、ストッパー溝１８ｆは省略することも可能である。
【００３０】
レフィール１６を収納位置から突出位置へと移動させるときには、上述と反対の方向に後筒１４を回転させる。このとき、横ガイド１２ｆ５と横ガイド１２ｆ３とでその作用が反対となり、第１傾斜部１２ｆ１と第２傾斜部１２ｆ２の作用が反対になることは明らかであろう。よって、第２カム溝１８ｄの後端部（反自由端部）の手前で、つまりカム溝１８ｂのＶ字形状の頂部の手前で、第２ガイド溝１２ｆと第３ガイド溝１２ｇの連結部が第２カム溝１８ｄに交差するようにする。
【００３１】
以上のように、レフィール１６の係合突起１６ｂ、軸筒１２のガイド溝１２ｄ及び回転筒１８のカム溝１８ｂによって、レフィール１６を突出位置と収納位置との間で確実に移動させることができる。
【００３２】
尚、この実施形態では、回転筒１８と一体的に回転し、回転操作を行うための後筒１４を設けていたが、後筒１４を省略して、回転筒１８を直接、回転操作することも可能である。
【００３３】
または、後筒１４と回転カム機構等で連結される操作部材を設けて、操作部材を軸筒１２に対してノック操作すると後筒１４が回転するように構成して、ノック操作の毎に後筒１４が回転方向が切り替わるようにすることも可能である。
【００３４】
また、この実施形態において、一体品として構成した部品、例えば軸筒、回転筒、レフィールを、互いに結合される複数の部品で構成することも勿論可能である。例えば、レフィールである媒体を、先端を有する部品と係合突起を有する部品の複数の部品から構成することも勿論可能である。
【００３５】
さらにはこの実施形態では、キャップレス保持具としてキャップレス筆記具を例にとったが、このような文房具のみならず、キャップレス化粧品に適用することができる。媒体としては、インキを保持するレフィールのみならず、固定糊、口紅、アイペンシル、アイライナー、アイブローペンシル等とすることが可能である。
【００３６】
【発明の効果】
以上説明したように、本発明によれば、回転体に設けられて回転体の回転により係合突起を前後方向に誘導するカム溝と、軸筒に設けられて係合突起を回転方向に誘導するガイド溝とによって、係合突起を誘導させるようにしたので、媒体を確実に、突出位置から後退及び回転させた後、収納位置へと前進させ、または逆に、収納位置から後退及び回転させた後、突出位置へと前進させることができる。
【図面の簡単な説明】
【図１】本発明に係るキャップレス保持具の全体縦断面図である。
【図２】レフィールの係合突起、軸筒のガイド溝、回転筒のカム溝を表す分解斜視図である。
【図３】レフィールの係合突起、軸筒のガイド溝、回転筒のカム溝の動作を表す断面図である。
【図４】レフィールの係合突起、軸筒のガイド溝、回転筒のカム溝の動作を表す展開説明図である。
【図５】（ａ）は軸筒の平面図、（ｂ）は（ａ）のｂ矢視図、（ｃ）は（ａ）のｃ−ｃ線縦断面図、（ｄ）は（ｃ）のｄ−ｄ線断面図、（ｅ）はガイド溝の展開図である。
【図６】（ａ）は後筒の断面図、（ｂ）は（ａ）のｂ−ｂ線断面図である。
【図７】（ａ）は回転筒の側面図、（ｂ）は回転筒の断面図、（ｃ）は回転筒のカム溝の展開図である。
【図８】レフィールの回転した状態における正面図と側面図である。
【符号の説明】
１０  キャップレス保持具
１２  軸筒
１２ａ  先端開口
１２ｂ  収納部
１２ｄ  ガイド溝
１２ｅ  第１ガイド溝
１２ｆ  第２ガイド溝
１２ｆ１  第１傾斜部
１２ｆ２  第２傾斜部
１２ｆ４  横ガイド溝
１２ｇ  第３ガイド溝
１６  レフィール（媒体）
１６ｂ  係合突起
１８  回転筒（回転体）
１８ｂ  カム溝
１８ｃ  第１カム溝
１８ｄ  第２カム溝
【図１】
2004358747.tif 000003
【図２】
2004358747.tif 000004
【図３】
2004358747.tif 000005
【図４】
2004358747.tif 000006
【図５】
2004358747.tif 000007
【図６】
2004358747.tif 000008
【図７】
2004358747.tif 000009
【図８】
2004358747.tif 000010
【手続補正書】
【提出日】平成16年4月8日(2004.4.8)
【手続補正１】
【補正対象書類名】明細書
【補正対象項目名】請求項２
【補正方法】変更
【補正の内容】
【請求項２】
前記カム溝はＶ字形状をなし、軸心方向に対して互いに反対方向に傾斜する第１カム溝と第２カム溝とからなり、前記ガイド溝はコ字形状をなし、軸心方向に平行な第１ガイド溝と、周方向に伸びる第２ガイド溝と、軸心方向に平行な第３ガイド溝とからなり、係合突起は、第１カム溝及び第１ガイド溝に位置付けられたときに突出位置をとることができ、第２カム溝及び第３ガイド溝に位置付けられたときに収納位置をとることができることを特徴とする請求項１記載のキャップレス保持具。
【手続補正２】
【補正対象書類名】明細書
【補正対象項目名】０００９
【補正方法】変更
【補正の内容】
【０００９】
請求項２記載の発明は、請求項１記載のものにおいて、前記カム溝はＶ字形状をなし、軸心方向に対して互いに反対方向に傾斜する第１カム溝と第２カム溝とからなり、前記ガイド溝はコ字形状をなし、軸心方向に平行な第１ガイド溝と、周方向に伸びる第２ガイド溝と、軸心方向に平行な第３ガイド溝とからなり、係合突起は、第１カム溝及び第１ガイド溝に位置付けられたときに突出位置をとることができ、第２カム溝及び第３ガイド溝に位置付けられたときに収納位置をとることができることを特徴とする。


【手続補正３】
【補正対象書類名】明細書
【補正対象項目名】００２０
【補正方法】変更
【補正の内容】
【００２０】
回転筒１８のカム溝１８ｂは、係合突起１６ｂを主として前後方向に誘導するものであり、図７（ｃ）に示したように、前方方向を上向きとするＶ字形状をなしており、軸心方向に対して傾斜し長さが長い第１カム溝１８ｃと、軸心方向に対して第１カム溝１８ｃと反対に傾斜し長さの短い第２カム溝１８ｄとからなる。第１カム溝１８ｃの後端部と第２カム溝１８ｄの後端部とが連結されている。さらに、第１カム溝１８ｃ及び第２カム溝１８ｄのそれぞれの自由端部には、周方向に延びるストッパー部１８ｅ、１８ｆが形成されている。また、回転筒１８の前部の周面には、カム溝１８ｂが形成されている部位とは別の部位にスリット１８ｇ（図２参照）が形成されている。このスリット１８ｇは、係合突起１６ｂをカム溝１８ｂにはめ込れる組立作業時に回転筒１８を拡径させるためのものである。